(57)【特許請求の範囲】
【請求項１】
ダクト本体と該ダクト本体から分岐されるフレキシブル分岐具とからなり、
前記フレキシブル分岐具は、基本形状を保持する芯材と少なくとも一つの気密層とを備えてなる長手方向に伸縮自在な空気流通体と、該空気流通体の一端に固着された支持プレートとからなり、
前記ダクト本体の側面に形成された開口部に、前記フレキシブル分岐具の支持プレートが係止され、前記フレキシブル分岐具が前記ダクト本体から外方に抜け出ないように、かつ前記ダクト本体に対し気密的に接続されており、
前記支持プレートは、鍔状板材で構成され、前記ダクト本体の内面形状に沿わせて加工され、前記空気流通体の芯材に対し、適宜間隔をおいて複数箇所で係止部材によって固着されている、
ダクト本体とフレキシブル分岐具との組合せ構造。
【請求項２】
前記空気流通体は、前記芯材の周囲に少なくとも一つの気密層と断熱層とを備えてなる、請求項１に記載のダクト本体とフレキシブル分岐具との組合せ構造。
【請求項３】
前記ダクト本体は、その長手方向に伸縮可能なフレキシブルダクトからなる、請求項１又は２に記載のダクト本体とフレキシブル分岐具との組合せ構造。
【発明の詳細な説明】
【技術分野】
【０００１】
本発明は、建造物の空調設備に用いられる、ダクト本体とフレキシブル分岐具との組合せ構造に関する。
【背景技術】
【０００２】
従来、建造物の天井裏等に配設される空調設備の配管において、ダクト本体に対しこのダクト本体から分岐される分岐管を接続する場合、分岐具を介して接続することが行われている。この分岐具としては、金属やプラスチック製の剛性のある分岐管とその一端の周囲に連設された分岐管プレートを備えたものが知られている。
例えば、特許文献１には、「フレキシブルダクトの内周面に沿った外周面を有し、且つ、その内外周面を貫通する透孔を有する支持部材と、前記支持部材の周面よりも大きい曲率の内周面を有するベースプレート部と、このベースプレート部から半径方向外側に延出する枝管部とを含み、枝管部の先端とベースプレート部の内周面において外部と連通する内部空間を形成する分岐管部材と、から成ることを特徴とするフレキシブルダクトの分岐用具。」が記載されている（請求項１１）。
上記従来の分岐用具においては、枝管部が設けられたベースプレートと、フレキシブルダクト（ダクト本体）の内周面に配設される支持部材とを、内面材２４を介して対向させ、両者をビス５９等により接合するようにしている。
このように、従来の分岐具は、枝管部及びそれが設けられたベースプレートと、支持部材とを必要とし、部品点数が多いため、コスト高となり、また、重量が嵩む。重量が嵩むと分岐具部分を吊下げ具によって吊り下げて保持する必要があり、施工性も悪くなる。また剛性のある枝管部がベースプレートから延出する形態であるため、枝管部によって占有空間が増大し、輸送、運搬等の効率が悪いという問題がある。
【０００３】
【特許文献１】特許第２９８４７０８号公報
【発明の開示】
【発明が解決しようとする課題】
【０００４】
本発明は、上記のような従来技術における不都合を考慮してなされたものであり、軽量化及びコストダウンが可能で、かつ輸送効率及び施工性を向上させることのできる、ダクト本体とフレキシブル分岐具との組合せ構造を提供することを目的とする。
【課題を解決するための手段】
【０００５】
(1) 本発明は、上記目的を達成するためになされたもので、ダクト本体と該ダクト本体から分岐されるフレキシブル分岐具とからなり、
前記フレキシブル分岐具は、基本形状を保持する芯材と少なくとも一つの気密層とを備えてなる長手方向に伸縮自在な空気流通体と、該空気流通体の一端に固着された支持プレートとからなり、
前記ダクト本体の側面に形成された開口部に、前記フレキシブル分岐具の支持プレートが係止され、前記フレキシブル分岐具が前記ダクト本体から外方に抜け出ないように、かつ前記ダクト本体に対し気密的に接続されており、
前記支持プレートは、鍔状板材で構成され、前記ダクト本体の内面形状に沿わせて加工され、前記空気流通体の芯材に対し、適宜間隔をおいて複数箇所で係止部材によって固着されている、
ダクト本体とフレキシブル分岐具との組合せ構造である。
(2) 本発明においては、前記空気流通体は、前記芯材の周囲に少なくとも一つの気密層と断熱層とを備えてなるものが好ましい一態様である。
(3) また、本発明においては、前記ダクト本体は、その長手方向に伸縮可能なフレキシブルダクトからなるものが好ましい一態様である。
【発明の効果】
【０００６】
(1) 本発明によれば、ダクト本体に接続される分岐具は、基本形状を保持する芯材と少なくとも一つの気密層とを備えてなる長手方向に伸縮自在な空気流通体と、該空気流通体の一端に固着された支持プレートとからなるフレキシブル分岐具で構成され、また、ダクト本体の開口部に、フレキシブル分岐具の支持プレートが係止され、フレキシブル分岐具がダクト本体から外方に抜け出ないように接続されるため、従来のような分岐具と対向して配設される支持部材が不要であり、軽量化及びコストダウンが可能となる。重量が軽減されるため、運搬や取扱も楽であり、また現場での施工性も向上する。分岐具部分の吊下げを不要とすることも可能である。さらに、分岐具はフレキシブルで長手方向に伸縮自在であり、その長手方向（軸方向）に圧縮可能であるため、分岐具をダクト本体側へ圧縮した状態でテープ等をダクト本体に巻き回してその状態を保持することができるので、これにより占有空間を小さくすることができ、輸送効率を向上させることができる。
また、本発明においては、支持プレートは、鍔状板材で構成され、前記ダクト本体の内面形状に沿わせて加工され、空気流通体の芯材に対し、適宜間隔をおいて複数箇所で係止部材によって固着されている構成により、空気流通体と支持プレートとの接合を簡単、確実かつ低コストで行うことができる。
支持プレートを構成する鍔状板材は、ダクト本体の内面形状に沿わせて加工されているため、ダクト本体の側面に形成された開口部へ、ぴったりと確実に係止される。
(2) また、本発明においては、前記空気流通体は、前記芯材の周囲に少なくとも一つの気密層と断熱層とを備えてなるため、断熱性に優れ、施工時に断熱材を被覆する処理など不要であるから、施工性に優れる。
(3) また、ダクト本体は、その長手方向に伸縮可能なフレキシブルダクトからなる構成により、フレキシブル分岐具のみならず、ダクト本体もその長手方向に圧縮した状態でテープ等をダクト本体に巻き回してその状態を保持することができるので、これによりさらに占有空間を小さくすることができ、輸送効率を向上させることができる。さらに、ダクト本体及び分岐具双方がフレキシブルであり、両者が直に接続されているため、屈曲性に優れ、配管時の融通性が高く施工性がよい。
【発明を実施するための最良の形態】
【０００７】
本発明の実施例を挙げ、図面を参照して説明するが、本発明は以下の形態に限定されるものではなく、本発明の要旨の範囲で種々の変形、付加等が可能である。なお、各図において同じ要素には同じ符号を用い、適宜その説明を省略する場合がある。
【実施例】
【０００８】
図１はフレキシブル分岐具１の一部切欠斜視図（空気流通体１０と支持プレート２０とを分離した状態で示す。）、図２はフレキシブル分岐具１の一部切欠斜視図、図３はフレキシブル分岐具１を模式的に示す縦断面図、図４は空気流通体１０と支持プレート２０との固着態様を示す断面図、図５はダクト本体３０とフレキシブル分岐具１との組合せ例を示す縦断面図である。
【０００９】
先ず、フレキシブル分岐具１について説明する。
フレキシブル分岐具１は、コイル状に形成された芯材１１の周囲に、気密層１４と断熱層１３とを備えてなる空気流通体１０と、該空気流通体１０の一端に固着された支持プレート２０とで構成されている。
図示の例では、空気流通体１０は、中間層として配設された断熱層１３と、断熱層１３の内周及び外周にそれぞれ設けられた内装皮１２及び外装皮（気密層１４）とを備えている。全体として一定の内径を有するチューブ状に形成されている。
空気流通体１０は、その内側に空気を通す流通路を備えた筒（管）状部材で、その断面形状は、図示のような円形のほか、楕円（オーバル）形、矩形等に形成することも可能である。
空気流通体１０は、芯材１１によって、その基本形状であるチューブ形状（特に半径方向の形状）が保持されるとともに、フレキシブルで伸縮性を備えている。芯材１１は、コイル状に形成されたもののほか、例えば、小田原提灯のように、連続しないリング状の芯材を長手方向に間隔をおいて複数配設したものを用いることができる（図示省略）。
【００１０】
断熱層１３は、グラスウール、ロックウール、セラミックウール等の不燃性材料を用いて構成され、保温性、消音性を発揮する。内装皮１２は、断熱層１３の内面をカバーするもので、不織布やガラスクロス等のシートないしフィルムにより構成することができる。外装皮として設けられた気密層１４は、断熱層１３の外面をカバーするもので、合成樹脂を用いた単層シート又は複合シートにより構成されている。合成樹脂としては、例えばポリエチレン、ポリプロピレン、ポリ塩化ビニル、ポリエチレンテレフタレート等の熱可塑性樹脂が好適に用いられる。外装皮は、アルミニウム層を有するものとして構成してもよい。通常、外装皮は、空気流通体１０の端部（出口側）において、断熱層１３の端面を覆って空気流通体１０の内面側に折り返され、ステープラー等によって端部が固定される（図示省略）とともに、空気流通体の端部には粘着テープ１５が巻き回されて固定される。断熱層１３、内装皮１２及び外装皮は、フレキシブル性を良好に確保するため、通常、互いに接着されないが、適宜接着部を設けてもよい。
なお、内装皮１２に、あるいは内装皮１２及び外装皮双方に気密性をもたせて気密層としてもよい。また、断熱層１３は省略することも可能であり、その場合、空気流通体１０は、芯材１１と気密層として設けた内装皮１２とで構成するか、芯材１１と気密層として設けた内装皮１２と気密層として設けた外装皮とで構成するか、あるいは、芯材１１と内装皮１２と気密層として設けた外装皮とで構成することができる。
【００１１】
芯材１１は、空気流通体１０の基本形状であるチューブ形状が保持されかつ全体として伸縮性が得られるものであればよく、その構造は特に限定されない。通常、内装皮１２に適宜手段で固定され、一体化される。
芯材１１は、例えば、鋼線からなり、断熱層１３と内装皮１２との間に配置され、内装皮１２と接着されるが、内装皮１２の内側に配置してもよく、その位置や内装皮１２との係合関係は適宜設定し得る。帯状の内装皮を螺旋状に巻き回して縁部で重ね合わせて接合するとともに、その接合される重ね合わせ部内に芯材１１を位置させて芯材１１が内装皮に被覆されるようにしてもよい。
芯材１１の他の構成例を図４に示す。すなわち、図示の例では、芯材１１は、ほぼ断面Ｃ字状（コ字状を含む。）の、亜鉛めっき鋼板、鉄等の金属製連続性薄板により形成され、このＣ字部分内に内装皮１２が挟み込まれることによって、内装皮１２に固定され、一体化される。
さらに詳しくは、図示の例では、所定幅の内装皮１２は、その縁部分が重なり合うように螺旋状に巻き回されて形成され、かつ、所定幅の内装皮１２の一方の縁部分が線部材１７（例えば、鉄線、亜鉛めっき鋼線等、弾性を有する金属材あるいはナイロンその他の合成樹脂材により構成される。）をくるんで外面に折り返され、折り返し部分を形成しており、この折り返し部分の上（外面）に、内装皮１２の他方の縁部分が重ね合わせられて、螺旋状に巻き回されており、縁部分が重ね合わせられた状態で、内装皮１２と線部材１７とが、芯材１１のＣ字部分内に挟み込まれ、これにより芯材１１と内装皮１２とが一体化されている。
【００１２】
空気流通体１０の一端には、支持プレート２０が固着され、フレキシブル分岐具１が構成される。
支持プレート２０は、好ましくは、図１に示すように、鍔状板材（平板材）で構成される。通常、０．２〜０．８ｍｍ程度の厚さの鋼板等の金属板が用いられる。支持プレート２０の中央の開口部２０ａは、空気流通体１０の内径に相当する大きさに形成され、所定幅（通常、２〜３ｃｍ程度でよい。）を有して環状に形成されている。図２に示すように、空気流通体１０の一端に、支持プレート２０を固着することによって、支持プレート２０を構成する鍔状板材は、空気流通体１０の一端において外方に向って張り出したフランジ部を形成している。このフランジ部は、後述するダクト本体３０との関係で見ると、ダクト本体の開口部３９よりも大きい外径を有し、かつ開口部３９の輪郭に沿う外周縁を備えている。
支持プレート２０を構成する鍔状板材は、図示のような円形のほか、空気流通体１０の断面形状に合わせて、楕円（オーバル）形、矩形等に形成され、また、後述するダクト本体３０の内面形状に沿わせて加工される。例えば、ダクト本体３０が円筒形のようにその側面が曲面に形成される場合、その曲面に適合するよう湾曲して形成される。
【００１３】
支持プレート２０の空気流通体１０への固着手段は、何ら限定されるものではないが、次の方法によるのが好ましい。
すなわち、支持プレート２０を、空気流通体１０の芯材１１に対し、支持プレート２０の周方向に適宜間隔をおいて複数箇所（通常４〜６箇所）で係止部材２１によって固着する。空気流通体１０の芯材１１を利用して支持プレート２０と固着するものである。
支持プレート２０に設けられる係止部材２１による芯材１１と支持プレート２０との固着態様の例を図４を参照して説明する。
図４（ａ）は、係止部材２１として、支持プレート２０を貫通するリベット２１ａを用いたものである。空気流通体１０の端部に位置する芯材１１と支持プレート２０との当接部位の近傍において、支持プレート２０に、該支持プレートを貫通するリベット２１ａを配設し、リベット頭部２１ａ−１によって芯材１１を支持プレート２０と当接状態に挟み込んで係止する。これにより、芯材１１に支持プレート２０が固着される。
図４（ｂ）は、係止部材２１として、支持プレート２０に形成したツメ片２１ｂを用いたものである。空気流通体１０の端部に位置する芯材１１と支持プレート２０との当接部位の近傍において、支持プレート２０に、支持プレート２０から芯材１１の側に向けてツメ片２１ｂを起立形成し、このツメ片２１ｂによって芯材１１を支持プレート２０と当接状態に挟み込んで係止する。これにより、芯材１１に支持プレート２０が固着される。
図４（ｃ）は、係止部材２１として、支持プレート２０に設置した係止片２１ｃを用いたものである。空気流通体１０の端部に位置する芯材１１と支持プレート２０との当接部位の近傍において、支持プレート２０に係止片２１ｃを適宜手段（例えば、溶接、リベット、ボルト・ナット等）で固定し、この係止片２１ｃによって芯材１１を支持プレート２０と当接状態に挟み込んで係止する。これにより、芯材１１に支持プレート２０が固着される。
【００１４】
ダクト本体３０とフレキシブル分岐具１との接続について説明する。図５はダクト本体３０とフレキシブル分岐具１との組合せ例を示す縦断面図である。図５（ａ）はフレキシブル分岐具１をダクト本体３０に接続する前の状態、図５（ｂ）はフレキシブル分岐具１をダクト本体３０に接続した状態を示す。
先ず、ダクト本体３０の側面に、フレキシブル分岐具１の空気流通体１０の支持プレート側の端部の外径に適合する開口部３９を形成する。この開口部３９に対し、フレキシブル分岐具１をダクト本体３０の内側から、図５（ａ）の矢印に示すように外側に向けて挿入する。そうすると、図５（ｂ）に示すように、フレキシブル分岐具１のフランジ状に張り出した支持プレート２０が開口部３９の周囲に係止され、フレキシブル分岐具１はダクト本体３０から外方に抜け出ないように接続される。その後、開口部３９とフレキシブル分岐具１との境目に外側から粘着テープ４０を巻き付ける等によって境目をシールし、ダクト本体３０とフレキシブル分岐具１との接続及び気密性を確実にし、ダクト本体３０に対しフレキシブル分岐具１が気密的に接続されるようにする。これにより、ダクト本体３０とフレキシブル分岐具１との組合せ構造が完成する。
支持プレート２０を構成する鍔状板材は、ダクト本体３０の内面形状に沿わせて加工されているため、ダクト本体３０の側面に形成された開口部３９へぴったりと確実に係止される。
【００１５】
上記ダクト本体３０とフレキシブル分岐具１との組合せ例においては、ダクト本体３０が、その長手方向に伸縮可能なフレキシブルダクトからなる例を示した。すなわち、ダクト本体３０は、フレキシブル分岐具１の空気流通体１０と同様の構成を有しており、コイル状に形成された芯材３１の周囲に、少なくとも一つの断熱層３３と気密層３４とを備えている。また、中間層として配設された断熱層３３と、断熱層３３の内周及び外周にそれぞれ設けられた内装皮３２及び外装皮（気密層３４）とを備えている。全体として一定の内径を有するチューブ状に形成されている。ダクト本体３０は、芯材３１によって、チューブ形状が保持されるとともに、フレキシブルで伸縮性を備えている。断熱層３３、内装皮３２及び外装皮並びに芯材３１の各構成は、これらに対応するフレキシブル分岐具１の空気流通体の各部材とほぼ同様の構成を採用し得るので、その説明を省略する。
【００１６】
なお、本発明において、ダクト本体３０は、上記のようなフレキシブルダクトに限定されるものではなく、その材質や形状等は任意である。ダクト本体３０として、例えば、プラスチック製のフレキシブルダクト、波形にロールフォーミングした金属薄板を螺旋状に巻回して筒状に形成したダクト、帯状の鋼板等の金属板を螺旋状に巻き、金属板の側縁の重なり部を接合した剛性のあるいわゆるスパイラルダクト、硬質の断熱材を基材として形成されたダクト等を用いることができ、また、ダクト本体３０の形状も円筒状に限定されるものではなく、断面が楕円形（オーバル）状や矩形状のもの（チャンバーボックス等直方体状のものを含む。）もダクト本体として使用することができるものである。
【図面の簡単な説明】
【００１７】
【図１】フレキシブル分岐具１の一部切欠斜視図（空気流通体１０と支持プレート２０とを分離した状態で示す。）である。
【図２】フレキシブル分岐具１の一部切欠斜視図である。
【図３】フレキシブル分岐具１を模式的に示す縦断面図である。
【図４】空気流通体１０と支持プレート２０との固着態様を示す断面図である。
【図５】ダクト本体３０とフレキシブル分岐具１との組合せ例を示す縦断面図である。
【符号の説明】
【００１８】
１  フレキシブル分岐具
１０  空気流通体
１１  芯材
１２  内装皮
１３  断熱層
１４  気密層
２０  支持プレート
２１ａ，２１ｂ，２１ｃ  係止部材
３０  ダクト本体
３９  開口部
【図１】
0004754317.tif 000002
【図２】
0004754317.tif 000003
【図３】
0004754317.tif 000004
【図４】
0004754317.tif 000005
【図５】
0004754317.tif 000006